(57)【要約】【課題】収納されているディスプレイパネルを通常使用位置に戻す場合に、操作ボタンの位置を正確に把握することなく、容易に操作が行える。【解決手段】操作部１２の複数の操作子は、ディスプレイパネル１３が収納位置にある場合および通常使用位置にある場合のいずれにおいても同一の操作が割り当てられた第１操作子と、ディスプレイパネル１３が収納位置にある場合と通常使用位置にある場合とで異なる操作が割り当て可能な第２操作子と、を有し、マイクロコンピュータ１１は、第２操作子に対し、ディスプレイパネル１３が収納位置にある場合においては、ディスプレイパネル１３を収納位置から通常使用位置まで駆動させるための操作を割り当てる。【選択図】図１
2007237906.tif 000002
【特許請求の範囲】
【請求項１】
各種情報を表示するためのディスプレイパネルと、
前記ディスプレイパネルを通常使用位置と収納位置との間で駆動するパネル駆動部と、
複数の操作子が設けられた操作部と、
前記操作部の操作状態に基づいて前記パネル駆動部を制御するための制御部と、を備え、
前記操作部は、前記複数の操作子は、前記ディスプレイパネルが前記収納位置にある場合および前記通常使用位置にある場合のいずれにおいても同一の操作が割り当てられた第１操作子と、前記ディスプレイパネルが前記収納位置にある場合と前記通常使用位置にある場合とで異なる操作が割り当て可能な第２操作子と、を有し、
前記制御部は、前記第２操作子に対し、前記ディスプレイパネルが前記収納位置にある場合においては、前記ディスプレイパネルを前記収納位置から前記通常使用位置まで駆動させるための操作を割り当てる、
ことを特徴とする車載用装置。
【請求項２】
各種情報を表示するためのディスプレイパネルと、
前記ディスプレイパネルを通常使用位置と収納位置との間で駆動するパネル駆動部と、
前記ディスプレイパネルが前記収納位置にある場合および前記通常使用位置にある場合のいずれにおいても同一の操作が割り当てられた第１操作子および前記ディスプレイパネルが前記収納位置にある場合と前記通常使用位置にある場合とで異なる操作が割り当て可能な第２操作子を有する操作部と、
前記操作部の操作状態に基づいて前記パネル駆動部を制御するための制御部と、を備え、
前記制御部は、前記ディスプレイパネルが前記収納位置にある場合において、前記第２操作子が操作された場合に、前記ディスプレイパネルを前記収納位置から前記通常使用位置まで駆動させる、
ことを特徴とする車載用装置。
【請求項３】
請求項１または請求項２記載の車載用装置において、
前記第１操作子は、前記ディスプレイパネルを通常使用位置と収納位置との間で駆動するための操作が割り当てられた操作子を含むことを特徴とする車載用装置。
【請求項４】
請求項１ないし請求項３のいずれかに記載の車載用装置において、
前記ディスプレイパネルの前記通常使用位置を記憶するための通常使用位置記憶部を備えたことを特徴とする車載用装置。
【請求項５】
各種情報を表示するためのディスプレイパネルと、前記ディスプレイパネルを通常使用位置と収納位置との間で駆動するパネル駆動部と、前記ディスプレイパネルが前記収納位置にある場合および前記通常使用位置にある場合のいずれにおいても同一の操作が割り当てられた第１操作子および前記ディスプレイパネルが前記収納位置にある場合と前記通常使用位置にある場合とで異なる操作が割り当て可能な第２操作子が設けられた操作部と、を備えた車載用装置の制御方法において、
前記ディスプレイパネルが前記収納位置にある場合において、前記第２操作子に対し、前記ディスプレイパネルを前記収納位置から前記通常使用位置まで駆動させるための操作を割り当てる操作割当過程と、
前記ディスプレイパネルの位置を検出するパネル位置検出過程と、
前記操作部の操作状態を検出する操作状態検出過程と、
前記ディスプレイパネルが前記収納位置にあり、前記第２操作子が操作された場合に、前記ディスプレイパネルを前記通常使用位置に駆動させるパネル駆動過程と、
を備えたことを特徴とする車載用装置の制御方法。
【請求項６】
各種情報を表示するためのディスプレイパネルと、前記ディスプレイパネルを通常使用位置と収納位置との間で駆動するパネル駆動部と、前記ディスプレイパネルが前記収納位置にある場合および前記通常使用位置にある場合のいずれにおいても同一の操作が割り当てられた第１操作子および前記ディスプレイパネルが前記収納位置にある場合と前記通常使用位置にある場合とで異なる操作が割り当て可能な第２操作子を有する操作部と、前記操作部の操作状態に基づいて前記パネル駆動部を制御するための制御部と、を備え、
前記ディスプレイパネルの位置を検出するパネル位置検出過程と、
前記操作部の操作状態を検出する操作状態検出過程と、
前記ディスプレイパネルが前記収納位置にある場合において、前記第２操作子が操作された場合に、前記ディスプレイパネルを前記収納位置から前記通常使用位置まで駆動させるパネル駆動過程と、
を備えたことを特徴とする車載用装置の制御方法。
【請求項７】
各種情報を表示するためのディスプレイパネルと、前記ディスプレイパネルを通常使用位置と収納位置との間で駆動するパネル駆動部と、前記ディスプレイパネルが前記収納位置にある場合および前記通常使用位置にある場合のいずれにおいても同一の操作が割り当てられた第１操作子および前記ディスプレイパネルが前記収納位置にある場合と前記通常使用位置にある場合とで異なる操作が割り当て可能な第２操作子が設けられた操作部と、を備えた車載用装置をコンピュータにより制御するための制御プログラムにおいて、
前記ディスプレイパネルの位置を検出させ、
前記操作部の操作状態を検出させ、
前記ディスプレイパネルが前記収納位置にある場合において、前記第２操作子が操作された場合に前記ディスプレイパネルを前記通常使用位置に駆動させる、
ことを特徴とする制御プログラム。
【請求項８】
各種情報を表示するためのディスプレイパネルと、前記ディスプレイパネルを通常使用位置と収納位置との間で駆動するパネル駆動部と、前記ディスプレイパネルが前記収納位置にある場合および前記通常使用位置にある場合のいずれにおいても同一の操作が割り当てられた第１操作子および前記ディスプレイパネルが前記収納位置にある場合と前記通常使用位置にある場合とで異なる操作が割り当て可能な第２操作子を有する操作部と、を備えた車載用装置をコンピュータにより制御するための制御プログラムにおいて、
前記ディスプレイパネルの位置を検出させ、
前記操作部の操作状態を検出させ、
前記ディスプレイパネルが前記収納位置にある場合において、前記第２操作子が操作された場合に、前記ディスプレイパネルを前記収納位置から前記通常使用位置まで駆動させる、
ことを特徴とする制御プログラム。
【発明の詳細な説明】
【技術分野】
【０００１】
本発明は、車載用装置、車戦用装置の制御方法および制御プログラムに係り、特に非使用時には筐体内に水平状態でディスプレイパネルを収納させ、使用時にはディスプレイパネルを水平にせり出させて、回動させて通常使用位置とし、ユーザにディスプレイパネルの表示画面を対向させる車載用装置、車載用装置の制御方法および制御プログラムに関する。
【背景技術】
【０００２】
従来より、未使用時に車両のダッシュボード内に設置された蟹体内に水平状態で収納され、使用時にディスプレイパネルを水平にせり出させ、回動させてユーザに表示画面を対向させる、いわゆる、インダッシュ式ディスプレイタイプの車戦用装置が知られている（たとえば、特許文献１参照）。
この場合において、ディスプレイパネルは、回動されることによりユーザが表示画面を目視容易な角度に起立させることとなっていた。
【特許文献１】特開２０００−３０９２４７号公報
【発明の開示】
【発明が解決しようとする課題】
【０００３】
ところで、上記従来の車載用装置をダッシュボード内に設置し、車載用装置を動作状態でディスプレイパネルを収納した状態では、表示画面を見ることはできないため、ユーザが各種操作を行うためには、ディスプレイパネルを水平にせり出させ、回動させてユーザに表示画面を対向させる必要が生じる。
しかしながら、従来の車載用装置においては、ディスプレイパネルを水平にせり出させ、回動させるためには、所定の操作子、例えば、操作ボタンを操作するには、操作パネルを視認して対応する操作ボタンの位置を把握する必要があり、特に運転時には操作が煩わしいという問題点があった。
【０００４】
そこで、本発明の目的は、収納されているディスプレイパネルを通常使用位置に戻す場合に、操作ボタンの位置を正確に把握することなく、容易に操作が行える車載用装置、車載用装置の制御方法および制御プログラムを提供することにある。
【課題を解決するための手段】
【０００５】
上記課題を解決するため、各種情報を表示するためのディスプレイパネルと、前記ディスプレイパネルを通常使用位置と収納位置との間で駆動するパネル駆動部と、複数の操作子が設けられた操作部と、前記操作部の操作状態に基づいて前記パネル駆動部を制御するための制御部と、を備え、前記操作部は、前記複数の操作子は、前記ディスプレイパネルが前記収納位置にある場合および前記通常使用位置にある場合のいずれにおいても同一の操作が割り当てられた第１操作子と、前記ディスプレイパネルが前記収納位置にある場合と前記通常使用位置にある場合とで異なる操作が割り当て可能な第２操作子と、を有し、前記制御部は、前記第２操作子に対し、前記ディスプレイパネルが前記収納位置にある場合においては、前記ディスプレイパネルを前記収納位置から前記通常使用位置まで駆動させるための操作を割り当てる、ことを特徴としている。
上記構成によれば、制御部により、第２操作子には、ディスプレイパネルが収納位置にある場合においては、ディスプレイパネルを収納位置から通常使用位置まで駆動させるための操作を割り当てられているので、ディスプレイパネルが収納位置にある場合にいずれの第２操作子を操作してもディスプレイパネルを通常使用位置まで駆動させることができる。
【０００６】
また、各種情報を表示するためのディスプレイパネルと、前記ディスプレイパネルを通常使用位置と収納位置との間で駆動するパネル駆動部と、前記ディスプレイパネルが前記収納位置にある場合および前記通常使用位置にある場合のいずれにおいても同一の操作が割り当てられた第１操作子および前記ディスプレイパネルが前記収納位置にある場合と前記通常使用位置にある場合とで異なる操作が割り当て可能な第２操作子を有する操作部と、前記操作部の操作状態に基づいて前記パネル駆動部を制御するための制御部と、を備え、前記制御部は、前記ディスプレイパネルが前記収納位置にある場合において、前記第２操作子が操作された場合に、前記ディスプレイパネルを前記収納位置から前記通常使用位置まで駆動させる、ことを特徴としている。
上記構成によれば、制御部は、ディスプレイパネルが収納位置にある場合において、第２操作子が操作された場合に、ディスプレイパネルを収納位置から通常使用位置まで駆動させるので、ディスプレイパネルが収納位置にある場合にいずれの第２操作子を操作してもディスプレイパネルを通常使用位置まで駆動させることができる。
【０００７】
これらの場合において、前記第１操作子は、前記ディスプレイパネルを通常使用位置と収納位置との間で駆動するための操作が割り当てられた操作子を含むようにしてもよい。
また、前記ディスプレイパネルの前記通常使用位置を記憶するための通常使用位置記憶部を備えるようにしてもよい。
【０００８】
また、各種情報を表示するためのディスプレイパネルと、前記ディスプレイパネルを通常使用位置と収納位置との間で駆動するパネル駆動部と、前記ディスプレイパネルが前記収納位置にある場合および前記通常使用位置にある場合のいずれにおいても同一の操作が割り当てられた第１操作子および前記ディスプレイパネルが前記収納位置にある場合と前記通常使用位置にある場合とで異なる操作が割り当て可能な第２操作子が設けられた操作部と、を備えた車載用装置の制御方法において、前記ディスプレイパネルが前記収納位置にある場合において、前記第２操作子に対し、前記ディスプレイパネルを前記収納位置から前記通常使用位置まで駆動させるための操作を割り当てる操作割当過程と、前記ディスプレイパネルの位置を検出するパネル位置検出過程と、前記操作部の操作状態を検出する操作状態検出過程と、前記ディスプレイパネルが前記収納位置にあり、前記第２操作子が操作された場合に、前記ディスプレイパネルを前記通常使用位置に駆動させるパネル駆動過程と、を備えたことを特徴としている。
【０００９】
各種情報を表示するためのディスプレイパネルと、前記ディスプレイパネルを通常使用位置と収納位置との間で駆動するパネル駆動部と、前記ディスプレイパネルが前記収納位置にある場合および前記通常使用位置にある場合のいずれにおいても同一の操作が割り当てられた第１操作子および前記ディスプレイパネルが前記収納位置にある場合と前記通常使用位置にある場合とで異なる操作が割り当て可能な第２操作子を有する操作部と、前記操作部の操作状態に基づいて前記パネル駆動部を制御するための制御部と、を備え、前記ディスプレイパネルの位置を検出するパネル位置検出過程と、前記操作部の操作状態を検出する操作状態検出過程と、前記ディスプレイパネルが前記収納位置にある場合において、前記第２操作子が操作された場合に、前記ディスプレイパネルを前記収納位置から前記通常使用位置まで駆動させるパネル駆動過程と、を備えたことを特徴としている。
【００１０】
また、各種情報を表示するためのディスプレイパネルと、前記ディスプレイパネルを通常使用位置と収納位置との間で駆動するパネル駆動部と、前記ディスプレイパネルが前記収納位置にある場合および前記通常使用位置にある場合のいずれにおいても同一の操作が割り当てられた第１操作子および前記ディスプレイパネルが前記収納位置にある場合と前記通常使用位置にある場合とで異なる操作が割り当て可能な第２操作子が設けられた操作部と、を備えた車載用装置をコンピュータにより制御するための制御プログラムにおいて、前記ディスプレイパネルの位置を検出させ、前記操作部の操作状態を検出させ、前記ディスプレイパネルが前記収納位置にある場合において、前記第２操作子が操作された場合に前記ディスプレイパネルを前記通常使用位置に駆動させる、ことを特徴としている。
【００１１】
また、各種情報を表示するためのディスプレイパネルと、前記ディスプレイパネルを通常使用位置と収納位置との間で駆動するパネル駆動部と、前記ディスプレイパネルが前記収納位置にある場合および前記通常使用位置にある場合のいずれにおいても同一の操作が割り当てられた第１操作子および前記ディスプレイパネルが前記収納位置にある場合と前記通常使用位置にある場合とで異なる操作が割り当て可能な第２操作子を有する操作部と、を備えた車載用装置をコンピュータにより制御するための制御プログラムにおいて、前記ディスプレイパネルの位置を検出させ、前記操作部の操作状態を検出させ、前記ディスプレイパネルが前記収納位置にある場合において、前記第２操作子が操作された場合に、前記ディスプレイパネルを前記収納位置から前記通常使用位置まで駆動させる、ことを特徴としている。
【発明の効果】
【００１２】
本発明によれば、収納されているディスプレイパネルを通常使用位置に戻す場合に、ユーザは、操作ボタンの位置を正確に把握することなく、容易に操作が行える。
【発明を実施するための最良の形態】
【００１３】
次に本発明の好適な実施の形態について図面を参照して説明する。
図１は、実施形態の車載用オーディオビジュアル装置の概要構成ブロック図である。
車載用オーディオビジュアル装置１０は、車載用オーディオビジュアル装置１０全体を制御するマイクロコンピュータ１１と、複数の操作子を有し、ユーザが各種操作を行う操作部１２と、各種情報を表示するディスプレイパネル１３と、ディスプレイパネル１３を水平駆動あるいは回動駆動するための駆動部１４と、各種データを不揮発的に更新可能に記憶するＥＥＰＲＯＭ１５と、を備えている。
マイクロコンピュータ１１は、制御用プログラムおよび制御用データをあらかじめ記憶しているＲＯＭ２１と、各種データを一次的に格納するＲＡＭ２２と、ＲＯＭ２１に格納された制御用プログラムに基づいてディスプレイパネル１３の駆動制御および表示制御を行うＣＰＵ２４と、を備えている。
【００１４】
図２は、実施形態の車載用オーディオビジュアル装置のディスプレイパネルの収納時の姿勢とした場合の外観斜視図である。
車載用オーディオビジュアル装置１０は、大別すると、マイクロコンピュータ１１、操作部１２、駆動部１４およびＥＥＰＲＯＭ１５を格納したオーディオ装置本体１０Ａと、上述したディスプレイパネル１３と、を備えている。
【００１５】
図３は、実施形態の車載用オーディオビジュアル装置のディスプレイパネルを収納状態から通常使用状態へ移行途中の場合の外観斜視図である。
図４は、実施形態の車載用オーディオビジュアル装置のディスプレイパネルを通常使用状態の姿勢（立設姿勢）とした場合の外観斜視図である。
図５は、実施形態の車載用オーディオビジュアル装置の正面図である。
操作部１２は、ディスプレイパネル１３が筐体内に収納されている場合にディスプレイパネル１３をせり出させて、通常使用時の姿勢とする指示操作およびディスプレイパネル１３を筐体内に収納させるための指示操作を行うためのオープン／クローズキー１２Ａ（図２参照）と、音量を調整するための音量調整キー１２Ｂ１、１２Ｂ２と、再生および一時停止を行うための再生／ポーズキー１２Ｃと、曲あるいはチャプター検索を行うとともに、早送り／早戻しを行うためのサーチキー１２Ｄ１、１２Ｄ２と、電源投入および動作モードを切り換えるためのソースキー１２Ｅと、受信バンドを切り換えるためのバンドキー１２Ｆと、各種設定変更を行うためのアジャストキー１２Ｇと、ディスプレイパネル１３における各種設定を行うためのモニターキー１２Ｈと、現在の動作モードにかかわらずユーザ設定によるデフォルトのラジオ局を受信するためのダイレクトラジオキー１２Ｉと、所定の外部オーディオ機器接続時に再生先を当該外部オーディオ機器に切り換える外部オーディオキー１２Ｊと、ＤＶＤ再生時に各種特殊コントロールを行うためのＤＶＤコントロールキー１２Ｋと、各種メニューを表示するためのメニューキー１２Ｌと、ディスク挿入口３１からディスクをイジェクト（排出）させるためのイジェクトキー１２Ｍと、を備えている。ここで、オープン／クローズキー１２Ａ、音量調整キー１２Ｂ１、１２Ｂ２およびイジェクトキー１２Ｍは、第１操作キーとして機能しており、他のキー１２Ｃ〜１２Ｌは、第２操作キーとして機能している。
また、このオープン／クローズキー１２Ａを含む操作部１２は、ディスプレイパネルの姿勢を変更して、当該変更後の姿勢を通常使用時の姿勢としてＥＥＰＲＯＭ１５に複数記憶させるべく操作する際にも用いられる。
ディスプレイパネル１３は、例えば、液晶ディスプレイを備えて構成されており、必要に応じて、その表面には、操作部１２を構成するタッチパネルが設けられている。
駆動部１４は、ディスプレイパネル１３を水平方向に駆動する水平駆動用モータ１４Ａと、ディスプレイパネル１３を回動軸を回動中心として回動させる回動用モータ１４Ｂと、ディスプレイパネル１３の姿勢を検出する姿勢検出センサ１４Ｃと、を備えている。
車載用ディスプレイ装置１０は、図２あるいは図３に示すように、ダッシュボードパネルＤＰ内にその筐体が収納されるように設けられている。
次に実施形態の車載用ディスプレイ装置の動作について説明する。
【００１６】
図６は、操作部のキーの操作状態に対応する処理フローチャートである。
まず、マイクロコンピュータ１１のＣＰＵ２４は、操作部１２のいずれかの操作キーが操作されたか否かを判別する（ステップＳ１１）。
ステップＳ１１の判別において、未だ操作部１２のいずれの操作キーも操作されていない場合には（ステップＳ１１；Ｎｏ）、ＣＰＵ２４は、待機状態となる。
ステップＳ１１の判別において、操作部１２のいずれかの操作キーが操作された場合には、ＣＰＵ２４は、姿勢検出センサ１４の出力に基づいてディスプレイパネル１３が収納位置にあるか否かを判別する（ステップＳ１２）。
ステップＳ１２の判別において、ディスプレイパネル１３が収納位置にはない場合には（ステップＳ１２；Ｎｏ）、操作された操作キーに対応する処理を行い（ステップＳ１３）、再び処理をステップＳ１１に移行する。
例えば、操作された操作キーが再生キーである場合には、ソースキーで指定されているソース（音源あるいは映像源）の再生を行うこととなる。
ステップＳ１２の判別において、ディスプレイパネル１３が収納位置にある場合には、ディスプレイパネル１３を通常位置とする。
【００１７】
図７は、ディスプレイパネルを筐体内に収納している場合に、ディスプレイパネルを通常使用時の姿勢とするための処理フローチャートである。
図８は、ディスプレイパネルが収納位置にある時の説明図である。
図９は、ディスプレイパネルを筐体から水平に引き出した状態の説明図である。
図１０は、ディスプレイパネルの回動動作の説明図である。
図１１は、ディスプレイパネルを通常使用時の姿勢としたときの説明図である。
マイクロコンピュータ１１のＣＰＵ２４は、図２に示すように、ディスプレイパネル１３が筐体内の収納位置にある時に、オープン／クローズキー１２Ａあるいはその他のキーが所定の基準押し下げ時間よりも短い期間、押し下げ操作されると、駆動部１４を制御し、水平駆動用モータ１４Ａを駆動して、筐体から水平にディスプレイパネル１３を移動させる（ステップＳ２１）。
【００１８】
このとき、ディスプレイパネル１３が水平駆動終了位置（姿勢１３Ｈ；図１０参照）に至ると、図示しない水平位置検出スイッチがオン状態となるように構成されている。
したがって、ＣＰＵ２４は、水平駆動用モータ１４Ａの駆動中は、水平位置検出スイッチの出力に基づいてディスプレイパネル１３が水平駆動終了位置に至ったか否かを判別する（ステップＳ２２）。
ステップＳ２２の判別において、未だディスプレイパネル１３が水平駆動終了位置に至っていない場合には（ステップＳ２２；Ｎｏ）、ＣＰＵ２４は、そのまま待機状態となる。
ステップＳ２２の判別において、ディスプレイパネル１３が水平駆動終了位置に至った場合には（ステップＳ２２；Ｙｅｓ）、ＣＰＵ２４は、駆動部１４を制御し、水平駆動用モータ１４Ａを停止させる（ステップＳ２３）。
この状態でディスプレイパネル１３は、図９に示すように、水平に完全に引き出された状態となる。
【００１９】
次にマイクロコンピュータ１１は、駆動部１４を制御し、回動用モータ１４Ｂを駆動して、図１０に示すように、水平に引き出されたディスプレイパネル１３を回動軸１３Ａを中心として上方に回動させる（ステップＳ２４）。
このとき、ディスプレイパネル１３が回動し、通常使用時の姿勢１３Ｖに相当する回動終了位置に至ると、姿勢検出センサ１４Ｃの出力と、マイクロコンピュータ１１がＥＥＰＲＯＭ１５に予め記憶しておいた姿勢データとを比較して現在の姿勢を検出できるようになっている。この姿勢検出センサ１４Ｃは、例えば、ロータリーエンコーダなどで構成されて、ユーザの好みのディスプレイパネル回動位置を、ディスプレイパネル１３の通常使用時の姿勢として検出することが可能となっている。
【００２０】
ここで、回動終了位置は、デフォルト設定の他、図示しないチルト設定キーによりユーザが設定した位置がＥＥＰＲＯＭ１５内に格納されている。この結果、ＣＰＵ２４は、姿勢検出センサの出力とＥＥＰＲＯＭ１５に格納されている設定位置とを比較して回動終了位置を判別している。
したがって、ＣＰＵ２４は、回動用モータＩＢＡの駆動中は、姿勢検出センサの出力に基づいてディスプレイパネル１３が通常使用時の姿勢に至ったか否かを判別する（ステップＳ２５）。
ステップＳ２５の判別において、未だディスプレイパネル１３が通常使用時の姿勢に至っていない場合には（ステップＳ２５；Ｎｏ）、ＣＰＵ２４は、そのまま待機状態となる。
ステップＳ２５の判別において、図１１に示すように、ディスプレイパネル１３が通常使用時の姿勢に至った場合には（ステッフＳ５；Ｙｅｓ）、マイクロコンピュータ１１は、駆動部１４を制御し、回動用モータ１４Ｂを停止させる（ステップＳ２６）。
【００２１】
図１２は、ディスプレイパネル収納時の処理フローチャートである。
具体的には、マイクロコンピュータ１１のＣＰＵ２４は、図８に示すように、ディスプレイパネル１３が通常使用時の姿勢１３Ｖである時に、オープン／クローズキー１２Ａが所定の基準押し下げ時間よりも短い期間、押し下げ操作されると、駆動部１４を制御し、回動動用モータ１４Ｂを駆動して、ディスプレイパネル１３を回動させる（ステップＳ３１）。
このとき、ディスプレイパネル１３が回動終了位置、すなわち、ディスプレイパネルが水平になると、図示しない水平位置検出スイッチがオン状態となる。
したがって、ＣＰＵ２４は、回動用モータ１４Ｂの駆動中は、水平位置検出スイッチの出力に基づいてディスプレイパネル１３が回動終了位置に至ったか否かを判別する（ステップＳ３２）。
【００２２】
ステップＳ３２の判別において、未だディスプレイパネル１３が回動終了位置に至っていない場合には（ステップＳ３２；Ｎｏ）、ＣＰＵ２４は、そのまま待機状態となる。
ステップＳ３２の判別において、ディスプレイパネル１３が回動終了位置に至った場合には（ステップＳ３２；Ｙｅｓ）、ＣＰＵ２４は、駆動部１４を制御し、回動用モータ１４Ｂを停止させる（ステップＳ３３）。
この状態でディスプレイパネル１３は、図９に示したように、完全に水平な状態となる。
次にＣＰＵ２４は、駆動部１４を制御し、水平駆動用モータ１４Ａを駆動して、図７に示すように、水平に引き出されたディスプレイパネル１３を筐体内に引き込むこととなる（ステップＳ３４）。
続いて、ＣＰＵ２４は、水平駆動用モータ１４Ａの駆動中は、図示しない収納位置検出センサの出力に基づいてディスプレイパネル１３が筐体内の収納位置に至ったか否かを判別する（ステップＳ３５）。
【００２３】
ステップＳ３５の判別において、未だディスプレイパネル１３が筐体内の収納位置に至っていない場合には（ステップＳ３５；Ｎｏ）、ＣＰＵ２４は、そのまま待機状態となる。
ステップＳ３５の判別において、図８に示すように、ディスプレイパネル１３が筐体内に完全に収納された場合には（ステッフＳ３５；Ｙｅｓ）、ＣＰＵ２４は、駆動部１４を制御し、水平駆動用モータ１４Ａを停止させる（ステップＳ３６）。
以上のステップＳ２１〜ステップＳ２６の処理により、ディスプレイパネル１３を収納完了状態として、処理を終了する。
【００２４】
以上の説明のように、本実施形態によれば、車載オーディオ装置のディスプレイパネル１３が収納位置にある場合には、操作部のいずれの操作キーを操作しても、ディスプレイパネル１３を通常使用位置に至らせることができるので、操作キーが特定されている場合と比較して格段に操作性が向上し、ユーザの手間を煩わせることがなくなる。
以上の説明においては、操作部のいずれの操作キーを操作しても、ディスプレイパネル１３を通常使用位置に至らせることができる場合について説明したが、例えば、音量キーなどのように、いずれの動作モードにおいても使用することが可能な操作キーについては、ディスプレイパネル１３を通常使用位置に駆動するための操作キーとして用いないようにすることも可能である。
【００２５】
すなわち、操作部１２は、操作キー（操作子）として、ディスプレイパネル１３が収納位置にある場合および通常使用位置にある場合のいずれにおいても同一の操作が割り当てられた第１操作子（前述の音量キーなど）と、ディスプレイパネル１３が収納位置にある場合と通常使用位置にある場合とで異なる操作が割り当て可能な第２操作子（前述のスキップキーなど）と、を有し、ＣＰＵ２４は、ディスプレイパネル１３が収納位置にある場合において、第２操作子に対し、ディスプレイパネル１３を収納位置から通常使用位置まで駆動させるための操作を割り当てるようにしてもよい。
【００２６】
また、ＣＰＵ２４は、操作を割り当てるのではなく、ディスプレイパネル１３が収納位置にある場合において、第２操作子が操作された場合に、ディスプレイパネル１３を収納位置から通常使用位置まで駆動させるようにしてもよい。
これらの場合において、ＥＥＰＲＯＭは、複数の通常使用位置を記憶可能であり、ＣＰＵ２４は、ユーザの指示に対応するいずれかの通常使用位置を選択して駆動するようにしてもよい。
【００２７】
以上の説明においては、車戦用ディスプレイ装置を制御するための制御プログラムがマイクロコンピュータ１１を構成するＲＯＭ２１に予め記憶されている場合について説明したが、各種磁気ディスク、光ディスク、メモリカードなどの記録媒体に制御用プログラムをあらかじめ記録し、これらの記録媒体から読み込み、インストールするように構成する
ことも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高い車載用ディスプレイ装置を構成することが可能となる。
【００２８】
さらに通常使用位置、収納位置から通常使用位置に至までの時間などについても、データとして記録媒体から読み込んで記憶させたり、ネットワークを介してダウンロードして記憶させるように構成することも可能である。
【図面の簡単な説明】
【００２９】
【図１】実施形態の車載用オーディオビジュアル装置の概要構成ブロック図である。
【図２】実施形態の車載用オーディオビジュアル装置のディスプレイパネルの収納時の姿勢とした場合の外観斜視図である。
【図３】実施形態の車載用オーディオビジュアル装置のディスプレイパネルを収納状態から通常使用状態へ移行途中の場合の外観斜視図である。
【図４】実施形態の車載用オーディオビジュアル装置のディスプレイパネルを通常使用状態の姿勢（立設姿勢）とした場合の外観斜視図である。
【図５】実施形態の車載用オーディオビジュアル装置の正面図である。
【図６】操作部のキーの操作状態に対応する処理フローチャートである。
【図７】ディスプレイパネルを筐体内に収納している場合に、ディスプレイパネルを通常使用時の姿勢とするための処理フローチャートである。
【図８】ディスプレイパネルが収納位置にある時の説明図である。
【図９】ディスプレイパネルを筐体から水平に引き出した状態の説明図である。
【図１０】ディスプレイパネルの回動動作の説明図である。
【図１１】ディスプレイパネルを通常使用時の姿勢としたときの説明図である。
【図１２】ディスプレイパネル収納時の処理フローチャートである。
【符号の説明】
【００３０】
１０…車載用ディスプレイ装置
１１…マイクロコンピュータ（制御部）
１２…操作部
１２Ａ…オーブン／クローズキー（第１操作子）
１２Ｂ１、１２Ｂ２…音量調整キー（第１操作子）
１２Ｃ…再生／ポーズキー（第２操作子）
１２Ｄ１、１２Ｄ２…サーチキー（第２操作子）
１２Ｅ…ソースキー（第２操作子）
１２Ｆ…バンドキー（第２操作子）
１２Ｇ…アジャストキー（第２操作子）
１２Ｈ…モニターキー（第２操作子）
１２Ｉ…ダイレクトラジオキー（第２操作子）
１２Ｊ…外部オーディオキー（第２操作子）
１２Ｋ…ＤＶＤコントロールキー（第２操作子）
１２Ｌ…メニューキー（第２操作子）
１２Ｍ…イジェクトキー（第１操作子）
１３…ディスプレイパネル
１３Ｖ…通常使用位置
１４…駆動部（パネル駆動部）
１４Ａ…水平駆動用モータ（パネル駆動部）
１４Ｂ…回動用モータ（パネル駆動部）
１４Ｃ…姿勢検出センサ
１５…ＥＥＰＲＯＭ（制御部、通常使用位置記憶部）
２１…ＲＯＭ（制御部）
２２…ＲＡＭ（制御部）
２４…ＣＰＵ（制御部）
【図１】
2007237906.tif 000003
【図２】
2007237906.tif 000004
【図３】
2007237906.tif 000005
【図４】
2007237906.tif 000006
【図５】
2007237906.tif 000007
【図６】
2007237906.tif 000008
【図７】
2007237906.tif 000009
【図８】
2007237906.tif 000010
【図９】
2007237906.tif 000011
【図１０】
2007237906.tif 000012
【図１１】
2007237906.tif 000013
【図１２】
2007237906.tif 000014